(57)【要約】      （修正有）【課題】バネ棒・ピン等の取り外し、取り付けをすることなしに、腕時計本体に対して腕時計バンドをワンタッチで、取り付け、取り外しすることが可能であり、更に、他の腕時計バンドに容易に交換することが可能な腕時計バンドの連結具を提供する。【解決手段】腕時計本体５０と腕時計バンド７０の間に配されて、腕時計バンド７０の交換を可能とする腕時計バンドの連結具１であって、連結具は、腕時計バンド７０に一端側が連結され、他端側が腕時計本体５０の一端側に配された連結柱６０を収納可能な溝部と、付勢されて溝部の少なくとも一部を閉塞して連結柱６０を溝部内に回動自在に収納可能なスライドカバー部２０とからなる。【選択図】図１
0003203156.tif 000002
【実用新案登録請求の範囲】
【請求項１】
腕時計本体と腕時計バンドの間に配されて、腕時計本体又は腕時計バンドの交換を可能とする腕時計バンドの連結具であって、
当該連結具は、前記腕時計本体又は前記腕時計バンドに一端側が連結され、他端側が前記腕時計バンド又は前記腕時計本体の一端側に配された連結柱を収納可能な溝部と、
付勢されて当該溝部の少なくとも一部を閉塞して前記連結柱を前記溝部内に回動自在に収納可能なスライドカバー部と
からなることを特徴とする腕時計バンドの連結具。
【請求項２】
前記連結具は、前記腕時計バンドに一端側が連結され、他端側が前記腕時計本体の一端側に配された連結柱を前記溝部に収納することにより、前記腕時計本体と連結されることを特徴とする請求項１に記載の腕時計バンドの連結具。
【請求項３】
前記連結具は、前記腕時計本体に一端側が連結され、他端側が前記腕時計バンドの一端側に配された連結柱を前記溝部に収納することにより、前記腕時計バンドと連結されることを特徴とする請求項１に記載の腕時計バンドの連結具。
【請求項４】
前記スライドカバー部は、腕時計の装着状態においては、前記腕時計バンド又は前記腕時計本体の一部が干渉してスライドできないことを特徴とする請求項１乃至請求項３のうち、いずれか１に記載の腕時計バンドの連結具。
【請求項５】
前記腕時計本体のバンド取付部側に位置する一方の端部手前に前記連結柱を収納する直線状の前記溝部と、他方の端部の両端に前記腕時計バンドを取り付けるための対向する突起部と、前記他方の端部から前記一方の端部に向かって表面が開口し、表面から内部に凸形状を成すスライド空間部とを有する連結具本体と、
一方の面に側面視においてスライド空間部に嵌合するＴ形状を成す嵌合部を有する前記スライドカバー部と、
前記スライド空間部内に位置し、一端をスライドカバー部の嵌合部に接するバネ部と、
当該バネ部の他端に接し、前記スライド空間部内に固定された係止片と、を有することを特徴とする請求項１に記載の腕時計バンドの連結具。
【請求項６】
前記腕時計本体のバンド取付部側に位置する一方の端部手前に取付棒を挿通するための貫通孔と、他方の端部の両端に前記腕時計バンドを取り付けるための対向する突起部に設けられた前記連結柱を収納する直線状の前記溝部と、前記他方の端部から前記一方の端部に向かって表面が開口し、表面から内部に凸形状を成すスライド空間部とを有する連結具本体と、
一方の面に側面視においてスライド空間部に嵌合するＴ形状を成す嵌合部を有する前記スライドカバー部と、
前記スライド空間部内に位置し、一端を前記スライド空間部の端面に接し、他端をスライドカバー部の嵌合部の一端に接するバネ部と、
前記スライドカバー部の嵌合部の他端に接し、前記スライド空間部内に固定された係止片と、を有することを特徴とする請求項１に記載の腕時計バンドの連結具。
【請求項７】
前記スライドカバー部は、バネ部により外力が作用していないときには、前記連結柱を覆うように位置していることを特徴とする請求項１乃至請求項６のうち、いずれか１に記載の腕時計バンドの連結具。
【請求項８】
前記スライドカバー部は、連結具本体の上面に配され、腕時計本体の正面側に位置することを特徴とする請求項１乃至請求項７のうち、いずれか１に記載の腕時計バンドの連結具。
【請求項９】
前記スライドカバー部は、連結具本体の下面に配され、腕時計本体の背面側に位置することを特徴とする請求項１乃至請求項７のうち、いずれか１に記載の腕時計バンドの連結具。
【請求項１０】
前記連結具本体に腕時計バンドを装着した状態で、前記連結具本体と腕時計バンドとのなす角度により腕時計バンドがストッパーとして機能して、前記スライドカバー部がスライドできないようにしたことを特徴とする請求項５又は請求項６に記載の腕時計バンドの連結具。
【請求項１１】
前記連結具本体及び前記スライドカバー部は、側面視において、腕に装着時に腕側に湾曲していることを特徴とする請求項５又は請求項６に記載の腕時計バンドの連結具。
【考案の詳細な説明】
【技術分野】
【０００１】
本考案は、腕時計本体に腕時計バンドを連結する腕時計バンドの連結具に関し、特に、腕時計本体に対してバネ棒・ピン等の取り外し、取り付けをすることなくワンタッチで、腕時計バンドを取り付け、取り外しすることが可能であり、更に、他の腕時計バンドに容易に交換することが可能な腕時計バンドの連結具に関する。
【背景技術】
【０００２】
従来、腕時計においては、腕時計ケースに設けられたバンド取付部に時計バンドを取り付ける際に、時計バンドの先端部に位置するバネ棒の両端を露出させて、バンド取付部の両端に設けられた挿入孔にバネ棒の両端を挿入して、バネ棒のバネ力により、腕時計に時計バンドを装着するバンド取付構造が知られている。
【０００３】
また、腕時計では、腕時計本体の時計バンドを異なる種類の時計バンドに交換することも行われる。例えば、メタルバンド仕様のバンド取付部を有する腕時計に皮バンドを取り付ける場合には、皮バンドのバネ棒取付部に設けたバネ棒の両端部のピボットを、バンド取付部のピボット孔に挿入することにより行われる。
【０００４】
この場合、メタルバンド仕様のバンド取付部に皮バンドを取り付けるにあたって、バンド取付部とバネ棒取付部との間に目障りな隙間が発生して美観を損ねることがある。
【０００５】
このため、特許文献１には、メタルバンド仕様のバンド取付部の皮バンドを取り付けるにあたって、バンド取付部とバネ棒取付部との間に、目障りな隙間が発生することはなく、美観を損ねない時計バンドの取付構造が開示されている。
【０００６】
即ち、特許文献１によれば、時計ケースに設けられて対向する面部にピボット孔を有するメタルバンド仕様のバンド取付部と、バンド取付部に取り付けられて基端部側に両端が解放した袋状のバネ棒取付部を有する皮バンドと、バネ棒取付部をバンド取付部に取り付けるバネ棒と、バネ棒取付部に挿入されてこのバネ棒取付部を拡張すると共に、バネ棒を、このバネ棒の両端のピボットをバンド取付部のピボット孔に一致させて保持するピースとを備えるようにする。
【先行技術文献】
【特許文献】
【０００７】
【特許文献１】特開平０９−５１８０８号公報
【考案の概要】
【考案が解決しようとする課題】
【０００８】
しかしながら、これまでの腕時計バンドの交換は、専用工具等を用いてバネ棒・ピン等の取り外し、取り付けが必要であり、腕時計の所有者の作業負担が大きく、時計店に頼むこと等も多々行われている。
【０００９】
また、特許文献１に開示された時計バンドの取付構造では、メタルバンド仕様のバンド取付部に皮バンドを取り付けるには、結局のところバネ棒を使用するため、腕時計バンドを容易に交換することができない恐れがある。
【００１０】
また、腕時計バンドは塩分を含む汗によるバネ棒のさび、ホコリ、紫外線などにより、更に、着けたり外したりしているうち摩耗し経年劣化してくる。また、金属部分が錆びて切れてしまつたり、革バンドの子穴がボロボロになって見栄えが悪くなることがある。
【００１１】
このため、機能性、ファッション性、腕時計そのものの価値の軽減となり、時計を使用する気にならないこともある。また、修理に持って行くのも億劫であり、面倒でもある。
【００１２】
そこで本考案は、バネ棒・ピン等の取り外し、取り付けをすることなしに、腕時計本体に対して腕時計バンドをワンタッチで、取り付け、取り外しすることが可能であり、更に、他の腕時計バンドに容易に交換することが可能な腕時計バンドの連結具を提供することを目的とする。
【課題を解決するための手段】
【００１３】
上記目標達成のため、本考案における腕時計バンドの連結具は、腕時計本体と腕時計バンドの間に配されて、腕時計本体又は腕時計バンドの交換を可能とする腕時計バンドの連結具であって、当該連結具は、前記腕時計本体又は前記腕時計バンドに一端側が連結され、他端側が前記腕時計バンド又は前記腕時計本体の一端側に配された連結柱を収納可能な溝部と、付勢されて当該溝部の少なくとも一部を閉塞して前記連結柱を前記溝部内に回動自在に収納可能なスライドカバー部とからなることを特徴とする。
【００１４】
また、本考案の前記連結具は、前記腕時計バンドに一端側が連結され、他端側が前記腕時計本体の一端側に配された連結柱を前記溝部に収納することにより、前記腕時計本体と連結されることを特徴とする。
【００１５】
また、本考案の前記連結具は、前記腕時計本体に一端側が連結され、他端側が前記腕時計バンドの一端側に配された連結柱を前記溝部に収納することにより、前記腕時計バンドと連結されることを特徴とする。
【００１６】
また、本考案の前記スライドカバー部は、腕時計の装着状態においては、前記腕時計バンド又は前記腕時計本体の一部が干渉してスライドできないことを特徴とする。
【００１７】
また、本考案における腕時計バンドの連結具は、前記腕時計本体のバンド取付部側に位置する一方の端部手前に前記連結柱を収納する直線状の前記溝部と、他方の端部の両端に前記腕時計バンドを取り付けるための対向する突起部と、前記他方の端部から前記一方の端部に向かって表面が開口し、表面から内部に凸形状を成すスライド空間部とを有する連結具本体と、一方の面に側面視においてスライド空間部に嵌合するＴ形状を成す嵌合部を有する前記スライドカバー部と、前記スライド空間部内に位置し、一端をスライドカバー部の嵌合部に接するバネ部と、当該バネ部の他端に接し、前記スライド空間部内に固定された係止片と、を有することを特徴とする。
【００１８】
また、本考案における腕時計バンドの連結具は、前記腕時計本体のバンド取付部側に位置する一方の端部手前に取付棒を挿通するための貫通孔と、他方の端部の両端に前記腕時計バンドを取り付けるための対向する突起部に設けられた前記連結柱を収納する直線状の前記溝部と、前記他方の端部から前記一方の端部に向かって表面が開口し、表面から内部に凸形状を成すスライド空間部とを有する連結具本体と、一方の面に側面視においてスライド空間部に嵌合するＴ形状を成す嵌合部を有する前記スライドカバー部と、前記スライド空間部内に位置し、一端を前記スライド空間部の端面に接し、他端をスライドカバー部の嵌合部の一端に接するバネ部と、前記スライドカバー部の嵌合部の他端に接し、前記スライド空間部内に固定された係止片と、を有することを特徴とする。
【００１９】
また、本考案の前記スライドカバー部は、バネ部により外力が作用していないときには、前記連結柱を覆うように位置していることを特徴とする。
【００２０】
また、本考案の前記スライドカバー部は、連結具本体の上面に配され、腕時計本体の正面側に位置することを特徴とする。
【００２１】
また、本考案の前記スライドカバー部は、連結具本体の下面に配され、腕時計本体の背面側に位置することを特徴とする。
【００２２】
また、本考案における腕時計バンドの連結具は、前記連結具本体に腕時計バンドを装着した状態で、前記連結具本体と腕時計バンドとのなす角度により腕時計バンドがストッパーとして機能して、前記スライドカバー部がスライドできないようにしたことを特徴とする。
【００２３】
また、本考案の前記連結具本体及び前記スライドカバー部は、側面視において、腕に装着時に腕側に湾曲していることを特徴とする。
【考案の効果】
【００２４】
本考案によれば、腕時計バンドの交換に際して、バネ棒・ピン等の取り外し、取り付けが不要であり、腕時計バンドの連結具に設けたスライドカバー部によって腕時計本体に対して腕時計バンドをワンタッチで、取り付け、取り外しすることが可能であり、更に、他の腕時計バンドに容易に交換することが可能なため、腕時計バンドを自分で簡単に取り替えることができ、腕時計バンドの種類、腕時計バンドの選択肢を増やすことができる。
【００２５】
また、本考案による腕時計バンドの連結具は、着せ替えバンドとして季節、オンタイム、オフタイム、レジャー等によりファッション感覚で自由に交換でき、さまざまな使用形態が可能となる。
【００２６】
また、本考案による腕時計バンドの連結具は、時計バンドの着け外しが自分で簡単にできるため、一つの腕時計本体で何通りもの組合せができる。
【００２７】
また、本考案による腕時計バンドの連結具は、金属バンド、革バンド、ゴムバンド、ウレタンバンド、布バンド、木製バンド等のあらゆる素材のバンドに対応可能である。
【００２８】
通常、腕時計本体は半永久的に使用できるが、時計バンドは摩耗、劣化する消耗品であるため、時計バンドの交換が必要となるが、億劫になり腕時計を使用しなくなってしまう。しかしながら、本考案による腕時計バンドの連結具を使用することにより、時計バンドを容易に交換できるため、腕時計本体を長期間使用することができる。
【００２９】
また、本考案による腕時計バンドの連結具は、腕時計バンドを装着した状態で、腕時計バンドがストッパーとして機能して、スライドカバー部がスライドできないため、誤操作を防止することができる。
【００３０】
また、本考案による腕時計バンドの連結具は、腕時計バンド毎に連結具を取り付けて腕時計本体に装着する、又は腕時計本体毎に連結具を取り付けて腕時計バンドを装着することが可能なため、使用状況に応じた連結具を選択することができる。
【００３１】
また、本考案による腕時計バンドの連結具は、その表面に塗装等の装飾が可能なため、多様な時計バンドに対応することができる。
【図面の簡単な説明】
【００３２】
【図１】本考案の腕時計バンドの連結具を腕時計本体と腕時計バンドの間に配した第１の実施形態を示す下面図である。
【図２】第１の実施形態における腕時計バンドの連結具の構成を示す斜視図である。
【図３】第１の実施形態における腕時計バンドの連結具の連結具本体を示す斜視図である。
【図４】第１の実施形態における腕時計バンドの連結具の各部を示す図であり、（ａ）は、連結具のスライドカバー部を示す斜視図、（ｂ）は、連結具のバネ部を示す斜視図、（ｃ）は、連結具の係止片を示す斜視図である。
【図５】第１の実施形態における腕時計バンドの連結具におけるスライドカバー部、バネ部、係止片の組み込んだ状態を示す斜視図ある。
【図６】第１の実施形態のおける腕時計バンドの連結具を腕時計本体に装着する状態を示す下面図である。
【図７】第１の実施形態におけるスライドカバー部を腕時計本体の正面側に設けた腕時計バンドの連結具を示す斜視図である。
【図８】腕時計バンドに金属バンドを装着した連結具のストッパー機能を説明する図であり、（ａ）は、連結具に金属バンドを装着する前の斜視図、（ｂ）は、金属バンドを装着した連結具を腕に着けた状態の側面図、（ｃ）は、金属バンドを連結具から取り外す場合の状態を示す側面図である。
【図９】第２の実施形態における腕時計バンドの連結具の連結具本体を示す斜視図である。
【図１０】第２の実施形態における腕時計バンドの連結具のスライドカバー部を示す斜視図である。
【図１１】第２の実施形態における腕時計バンドの連結具におけるスライドカバー部、バネ部、係止片の組み込んだ状態を示す斜視図ある。
【図１２】第２の実施形態のおける腕時計バンドの連結具を腕時計バンドに装着する状態を示す図であり、（ａ）は、時計バンドの連結具を腕時計バンドに装着した状態を示す下面図であり、（ｂ）は、時計バンドの連結具を腕時計バンドに装着する状態を示す側面図である。
【図１３】第２の実施形態におけるスライドカバー部を腕時計本体の正面側に設けた腕時計バンドの連結具を示す斜視図である。
【考案を実施するための形態】
【００３３】
以下、図面を参照して、本考案による腕時計バンドの連結具を実施するための形態について説明する。尚、本考案は、腕時計本体と腕時計バンドの間に連結具を配して、バネ棒・ピン等の取り外し、取り付けを不要として、腕時計本体に対して腕時計バンドをワンタッチで、取り付け、取り外しすることが可能であり、更に、他の腕時計バンドに容易に交換することが可能となるようにしたものである。
【００３４】
［第１の実施形態］
図１は、本考案の腕時計バンドの連結具を腕時計本体と腕時計バンドの間に配した第１の実施形態を示す下面図である。尚、図１では、腕時計バンドの連結具を腕時計本体の片側のみに取り付けた状態を示す図であり、腕時計バンドの連結具は、腕時計本体の両側に配するようにする。
【００３５】
図１は、腕時計本体を背面から見た図であり、図１に示すように、腕時計バンドの連結具１は、腕時計本体５０と腕時計バンド７０の間に配されており、腕時計本体５０と腕時計バンド７０とを連結するものである。連結具１は、腕時計バンド７０に一端側が連結され、他端側が腕時計本体５０の一端側に配された連結柱６０を溝部３（図３に示す）に収納することにより、腕時計本体５０と連結されている。
【００３６】
腕時計本体５０は、そのケースに腕時計バンド７０を取り付けるバンド取付部５２を有しており、バンド取付部５２には、連結柱６０としてのバネ棒・ピン等が設けられている。図１に示すように、連結柱６０は、溝部３に収納された部分がスライドカバー部２０に覆われている。尚、連結柱は、バネ棒・ピン・棒等であるが、これらは一例であり、これらに限定されるものではない。
【００３７】
また、腕時計バンド７０の端部には、連結具１と連結するための取付棒７５を有する取付先端部７２が取り付けられており、連結具１に設けられた突起部７のピン挿入孔１０（図３に示す）に取付棒７５としてのバネ棒を挿入して腕時計バンド７０を連結具１に連結する。尚、取付棒は、バネ棒・ピン・棒等であるが、これらは一例であり、これらに限定されるものではない。
【００３８】
図２は、第１の実施形態における腕時計バンドの連結具の構成を示す斜視図である。図２に示すように、腕時計本体５０と腕時計バンド７０の間に配される腕時計バンドの連結具１は、連結具本体２、スライドカバー部２０、バネ部３０（図５に示す）及び係止片３５とを有している。連結具本体２の裏面には、スライドカバー部２０が取り付けられており、連結具本体２及びスライドカバー部２０は、側面視において、腕に装着時に腕側に沿って湾曲している。
【００３９】
以下に、腕時計バンドの連結具を構成する部品については図３、図４を用いて説明する。図３は、第１の実施形態における腕時計バンドの連結具本体を示す斜視図、図４は、第１の実施形態における腕時計バンドの連結具の各部を示す図であり、（ａ）は、連結具のスライドカバー部を示す斜視図、（ｂ）は、連結具のバネ部を示す斜視図、（ｃ）は、連結具の係止片を示す斜視図である。
【００４０】
図３に示すように、連結具本体２は、一方の端部手前に直線状の溝部３と、他方の端部の両端に腕時計バンド７０を取り付けるための対向する突起部７と、他方の端部から一方の端部に向かって表面が開口し、表面から内部に凸形状を成すスライド空間部１５を有している。
【００４１】
連結具本体２に設けられた断面がＵ字形状を成す溝部３は、連結具本体２の両側面を貫通し、腕時計本体５０のケースに設けられたバンド取付部５２に取り付けられた連結柱６０としてのバネ棒・ピン等に平行となるように設けられている。溝部３は連結柱６０としてのバネ棒に装着して、腕時計本体５０に連結具１を連結するためのものである。尚、溝部３の断面の形状は、Ｕ字形状に限らず、他の形状であってもよい。
【００４２】
また、連結具本体２における他方の端部の両端には、腕時計バンド７０を取り付けるための対向する突起部７が設けられている。各突起部７には、溝部３と平行をなすピン挿入孔１０が設けられている。腕時計バンド７０の端部に固定可能な棒等を突起部７のピン挿入孔１０に挿通して、腕時計バンド７０を連結具１に取り付けるようにする。尚、連結具１に腕時計バンド７０を取り付けるためのピン挿入孔１０に代えて、ピボット孔を設けて、バネ棒によって腕時計バンド７０を取り付けるようにしてもよい。
【００４３】
連結具本体２の一方の面に設けられたスライド空間部１５は、他方の端部から一方の端部の溝部３に向かって表面が開口し、表面からの内部空間が凸形状に形成されている。
【００４４】
また、連結具本体２は、スライド空間部１５の先端と、両突起部７の内部壁面８とに囲まれた空間を成す開口部１７を有している。
【００４５】
図３に示すように、連結具本体２は、一方の端部から他方の端部に渡って両表面が弓形を成し、腕時計を腕に装着した状態で、腕に沿って湾曲している。
【００４６】
また、スライド空間部１５の突起部７側の両側面には、貫通孔１６が設けられており、この貫通孔１６に棒を挿入して、後述する係止片３５（図２、図５に示す）を固定する。
【００４７】
次に、連結具を構成する各部について図４を用いて説明する。最初に、スライドカバー部について図４（ａ）を用いて説明する。図４（ａ）に示すように、スライドカバー部２０は、上面視において略矩形であり、表面が弓状に湾曲している。
【００４８】
また、側面視において、スライドカバー部２０の一方の面に連結具本体２のスライド空間部１５に嵌合するＴ形状を成す突起した嵌合部２１を有している。
【００４９】
スライドカバー部２０におけるＴ形状を成す嵌合部２１は、連結具本体２と組み合わされて、連結具本体２に設けられたスライド空間部１５に嵌合する。
【００５０】
スライドカバー部２０の嵌合部２１は、スライド空間部１５を溝部３に対して垂直方向にスライドする。Ｔ形状を成す嵌合部２１は、スライドカバー部２０が連結具本体２の溝部３側にスライドした場合に、スライドカバー部２０の一方の端部と、連結具本体２の溝部３側の端部とが一致する位置に設けられている。
【００５１】
スライドカバー部２０が連結具本体２の溝部３側の端部にスライドした場合には、連結具本体２の溝部３の全体を覆うようになる。一方、スライドカバー部２０が連結具本体２の突起部７の端部側にスライドした場合には、連結具本体２の溝部３の全体が露出するようになる。
【００５２】
スライドカバー部２０は、連結具本体２と同様に、一方の端部から他方の端部に渡って両表面が湾曲している。これにより、スライドカバー部２０と連結具本体２とが一体化された形状を成す。
【００５３】
また、図４（ｂ）に示すように、連結具のバネ部３０は、略角筒又は略長円筒の形状を成す圧縮バネ３１を有し、圧縮バネ３１の両端部は、バネ部３０の長手方向に対して垂直を成すように形成されている。バネ部３０は、連結具本体２のスライド空間部１５内に配設される。
【００５４】
また、図４（ｃ）に示すように、連結具の係止片３５は、四角柱の形状を成し、連結具本体２のスライド空間部１５内の端部に固定される。係止片３５におけるスライド空間部１５内の側面に接する面には、貫通孔３６が設けられている。
【００５５】
次に、腕時計バンドの連結具におけるスライドカバー部、バネ部、係止片の連結具本体への組み込み状態を図５を用いて説明する。図５は、第１の実施形態における腕時計バンドの連結具におけるスライドカバー部、バネ部、係止片の組み込んだ状態を示す斜視図ある。
【００５６】
図５に示すように、腕時計バンドの連結具１におけるバネ部３０は、連結具本体２のスライド空間部１５内に配設されている。連結具本体２のスライド空間部１５内に配設された圧縮バネ３１の一方の端は、スライドカバー部２０の嵌合部２１の一端と接し、スライド空間部１５内の圧縮バネ３１の他端は、係止片３５の一端と接している。
【００５７】
また、図５に示すように、係止片３５は、スライド空間部１５内の端部で固定されており、係止片３５の一方の面は開口部１７側に位置し、係止片３５の他方の面はバネ部３０の他端に接している。係止片３５のスライド空間部１５内での固定は、連結具本体２に設けられた貫通孔１６に挿入された棒が、係止片３５の貫通孔３６（図４（ｃ）に示す）を挿通することによって行われている。
【００５８】
このように、バネ部３０は、スライドカバー部２０の嵌合部２１と係止片３５との間に挟まれている。スライドカバー部２０が、定位置、即ち、スライドカバー部２０にスライドするための外力が掛かっていない場合には、圧縮バネ３１は、バネ力でスライドカバー部２０の嵌合部２１をスライド空間部１５の溝部３側に押圧する。
【００５９】
一方、スライドカバー部２０にスライドするための力が掛かっている場合には、圧縮バネ３１は、圧縮されて、縮むように変形する。これにより、スライドカバー部２０が突起部７側にスライドすることにより、溝部３が露出する。このため、腕時計本体５０の連結柱６０（バネ棒）への連結具１の取り付け、連結具１の連結柱６０からの取り外しが容易に行うことができる。
【００６０】
また、スライドカバー部２０に突起部７側にスライドするための力が無くなると、スライドカバー部２０は、定位置に移動する。
【００６１】
このように、バネ部３０は、スライドカバー部２０に作用して、腕時計本体５０のバンド取付部５２に連結具１を連結後に、連結状態を保持し、また、腕時計本体５０から連結具１を取り外すときに外力で圧縮されて腕時計本体５０から連結具１を取り外す状態にし、外力がなくなると元に戻るように機能する。
【００６２】
次に、図５に示す連結具の組み立てについて述べる。連結具１は、連結具本体２と、スライドカバー部２０、バネ部３０及び係止片３５により以下の順番で組み立てられる。尚、係止片３５を固定するための棒を準備しておく。
【００６３】
最初に、連結具本体２にスライドカバー部２０を取り付ける。スライドカバー部２０の取付は、連結具本体２のスライド空間部１５先端に位置する開口部１７からスライドカバー部２０の嵌合部２１を挿通する。次に、バネ部３０をスライド空間部１５の先端から挿入する。バネ部３０を挿入後に係止片３５を挿入する。
【００６４】
係止片３５は、連結具本体２に設けられた貫通孔１６に挿入された棒により、係止片３５の貫通孔３６を貫通して、連結具本体２に固定される。スライド空間部１５にバネ部３０が設けられていることにより、スライドカバー部２０はバネ力により溝部３側に、押しつけられる。
【００６５】
また、時計バンドの連結具への組み込みは、腕時計バンド７０の端部に固定可能に設けられた棒等を突起部７のピン挿入孔１０に挿通されて、腕時計バンド７０を連結具１に取り付けるようにする。また、バネ棒によって腕時計バンド７０を取り付けるようにしてもよい。
【００６６】
図６は、腕時計バンドを連結した連結具を腕時計本体に装着する状態を示す下面図である。図６に示すように、腕時計バンド７０を連結した連結具１を腕時計本体５０に取り付ける場合には、腕時計本体５０のケースに設けられたバンド取付部５２の連結柱６０としてのバネ棒６０に、連結具１のスライドカバー部２０を溝部３が露出するように矢印で示す方向にスライドさせる。
【００６７】
その後、溝部３を連結柱６０としてのバネ棒やピン等にはめこんで、溝部３をバネ棒６０に装着後に、スライドカバー部２０を通常の位置に戻すようにする。このとき、溝部３の上部は、スライドカバー部２０で覆われて、バネ棒６０から分離することはない。
【００６８】
一方、連結具１を腕時計本体５０から外す場合には、連結具１のスライドカバー部２０を溝部３が露出するようにスライドさせて、連結具１を腕時計本体５０から取り外す。これにより、腕時計本体５０と連結具１との脱着を容易に行うことができる。
【００６９】
また、図１に示すように、スライドカバー部２０を連結具本体２の下面に設けた場合には、腕時計を腕に装着した際に、スライドカバー部２０が腕（手首）の表面に接触することにより、スライドカバー部２０が腕により覆われ、誤ってスライドカバー部２０がスライドしてしまうことがない。
【００７０】
このため、スライドカバー部２０を連結具本体２の下面に設けることにより、本考案による腕時計バンドの連結具は、腕に装着したときにスライドカバー部２０のストッパーとしての機能を有することができる。
【００７１】
以上の説明では、スライドカバー部２０を連結具本体２の下面に設けた場合の実施形態を説明したが、スライドカバー部２０を連結具本体２の上面に設けることも可能である。
【００７２】
次に、スライドカバー部を連結具本体の上面に設けた場合の連結具の実施形態について図７を用いて説明する。図７は、第１の実施形態におけるスライドカバー部を腕時計本体の正面側に設けた腕時計バンドの連結具を示す斜視図である。
【００７３】
図７に示すように、連結具１は、スライドカバー部２０を腕時計本体５０の正面側に位置するように設けられている。腕時計本体５０への腕時計バンド７０の脱着は、連結具本体２の上面に設けたスライドカバー部２０を矢印で示す時計バンド側にスライドするようにする。これにより、溝部３が露出して、腕時計本体５０に設けられている連結柱の溝部３からの取り出し、溝部３への連結柱の取り付けを容易に行うことができる。
【００７４】
また、図７に示すスライドカバー部２０は、腕時計本体２の正面側に設けられているため、腕に装着した場合にライドカバー部２０がスライドしないようにストッパー機能を有している。
【００７５】
以下に、スライドカバー部を腕時計本体の正面側に設けた場合におけるスライドカバー部のストッパー機能について図８を用いて説明する。図８は、腕時計バンドに金属バンドを装着した連結具のストッパー機能を説明する図であり、（ａ）は、連結具に金属バンドを装着する前の斜視図、（ｂ）は、金属バンドを装着した連結具を腕に着けた状態の側面図、（ｃ）は、金属バンドを連結具から取り外す場合の状態を示す側面図である。
【００７６】
図８（ａ）に示すように、腕時計バンドに金属バンド８０を使用する際には、金属バンドの取付部８１は、連結具１の他端側に設けられたピン挿入孔１０に取付棒７５としてのバネ棒・ピン等で装着される。このとき、金属バンド８０と連結具１とを平面上に置いた場合に、スライドカバー部２０の表面の端部の高さＡと金属バンド８０の本体片の表面の高さＣとがほぼ同一となるようになっている。
【００７７】
また、連結具本体２の突起部７における端面の表面までの高さＢと金属バンドの取付部８１における端部の表面までの高さＤとが、ほぼ同一となるようになっている。図８（ｂ）に示すように、金属バンド８０を装着した連結具１を腕に着けた状態では、図８（ａ）に示す高さＡ、Ｃが同一であるため、スライドカバー部２０はスライドできない。
【００７８】
即ち、連結具本体２の位置を基準として、金属バンド８０の位置、即ち、金属バンド８０の成す角度（図８（ｃ）に示すＴ）以下のときに金属バンド８０がストッパーとして機能して、スライドカバー部２０がスライドできないようになっている。
【００７９】
一方、図８（ｃ）に示すように、例えば、金属バンド８０を腕から外した状態で、金属バンド８０の成す角度がＴを超える場合には、図８（ａ）に示す金属バンドの本体片の表面の高さＣが、連結具本体２の突起部７の端面の表面までの高さＢ未満となり、スライドカバー部２０が金属バンド８０側にスライドできるため、スライドカバー部２０を矢印で示す方向にスライドさせることにより、腕時計本体と連結具１との脱着が行える。
【００８０】
尚、図８に示す腕時計バンドに金属バンドを装着した連結具のストッパー機能は、図１乃至図６に示す第１の実施形態におけるスライドカバー部を腕時計本体の背面側に設けた腕時計バンドの連結具においても、適用可能である。
【００８１】
以上述べた腕時計バンドの連結具は、腕時計バンドを取り付けるバンド取付部を有する腕時計本体に脱着自在に結合、分離するようにして、連結具の一方の端部に回転可能に装着された腕時計バンドを容易に交換できるようにしたものである。
【００８２】
また、本考案による腕時計バンドの連結具は、その表面に塗装等の装飾が可能なため、多様な時計バンドに対応することができる。例えば、腕時計本体の正面側に位置する連結具の連結具本体又はスライドカバー部の表面に塗装等の装飾を行うことにより、腕時計本体や時計バンドと調和させることが可能となる。
【００８３】
［第２の実施形態］
次に、腕時計本体のケースに連結具を前もって装着して、腕時計バンド側を脱着自在に結合、分離することが可能な第２の実施形態としての腕時計バンドの連結具について説明する。尚、第１の実施形態と同一の機能を有するものは同一の名称、符号を付して説明する。第２の実施形態における連結具は、第１の実施形態の連結具とは、連結具本体が異なる。
【００８４】
図９は、第２の実施形態における腕時計バンドの連結具の連結具本体を示す斜視図である。図９に示すように、連結具本体１２は、一方の端部から他方の端部に渡って両表面が弓形を成し、腕時計本体側に位置する一方の端部と、他方の端部手前に位置する対向する突起部７と、他方の端部から一方の端部に向かって表面が開口し、表面から内部に凸形状を成すスライド空間部１５を有している。
【００８５】
連結具本体１２の一方の端部付近には、腕時計本体５０の両端に設けられた時計バンド取付部５２の取付棒６３（図１２（ａ）に示す）としてのねじ棒が挿通される貫通孔であるピン挿入口１８が設けられている。
【００８６】
また、連結具本体１２における他方の端部の両端には、腕時計バンド７０を取り付けるための対向する突起部７が設けられている。各突起部７には、溝部３が設けられており、各溝部３は、腕時計バンド７０の連結柱７３（図１２（ａ）、（ｂ）に示す）を収納できるように連結具本体１２の側面付近まで形成されている。溝部３は連結柱７３としてのバネ棒・ピン等を収納して、腕時計バンド７０に連結具１１（図１１、図１２に示す）を連結するためのものである。尚、連結柱７３は、バネ棒・ピン・棒等であり、これらに限定するものではない。
【００８７】
連結具本体１２の一方の面に設けられたスライド空間部１５は、他方の端部から一方の端部（ピン挿入口１８側）に向かって表面が開口し、表面から内部空間が凸形状に形成されている。また、連結具本体１２は、スライド空間部１５の先端と両突起部７の内部壁面８とに囲まれた空間を成す開口部１７を有している。
【００８８】
また、スライド空間部１５の両側面には、貫通孔１６が設けており、この貫通孔１６に棒を挿入して、係止片３５（図１１に示す）を固定する。
【００８９】
図１０に示すように、連結具本体１２と嵌合するスライドカバー部２５は、一方の面に側面視においてスライド空間部１５に嵌合するＴ形状を成す嵌合部２１を有し、一方の端部は、連結具本体１２の突起部７の表面と同様の形状を成し、突起部７に囲まれた開口部１７を露出するようにする。
【００９０】
尚、スライドカバー部２５は、図４に示すスライドカバー部２０と同様の形状であってもよい。即ち、連結具本体１２の突起部７に囲まれた開口部１７を覆うようにしてもよい。
【００９１】
スライドカバー部２５のＴ形状を成す嵌合部２１は、連結具本体１２と組み合わされて、連結具本体１２に設けられたスライド空間部１５に嵌合する。スライドカバー部２５の嵌合部２１は、スライド空間部１５を連結具本体１２のピン挿入口１８に対して垂直方向にスライドする。
【００９２】
Ｔ形状を成す嵌合部２１は、スライドカバー部２５が連結具本体１２の溝部３側にスライドした場合に、スライドカバー部２５の腕時計バンド側の端部と、連結具本体１２の突起部７の端部とが一致する位置に設けられている。これにより、スライドカバー部２５が、溝部３側にスライドした場合には、連結具本体１２の突起部７に設けられた溝部３の全体を覆うことができる。
【００９３】
また、スライドカバー部２５が連結具本体１２のピン挿入口１８側にスライドした場合には、連結具本体１２の突起部７に設けられている溝部３が露出するようになる。
【００９４】
スライドカバー部２５は、連結具本体１２と同様に、一方の端部から他方の端部に渡って腕に沿うように両表面が湾曲している。
【００９５】
次に、腕時計バンドの連結具におけるスライドカバー部、バネ部、係止片の連結具本体への組み込み状態を図１１を用いて説明する。図１１は、第２の実施形態における腕時計バンドの連結具におけるスライドカバー部、バネ部、係止片の組み込んだ状態を示す斜視図ある。
【００９６】
図１１に示すように、腕時計バンドの連結具１１におけるバネ部３０は、略角筒又は略長円筒の形状を成す圧縮バネ３１を有し、連結具本体１２のスライド空間部１５内に配設されている。
【００９７】
連結具本体１２のスライド空間部１５内に配設された圧縮バネ３１の一方の端は、スライドカバー部２５の嵌合部２１の一端と接し、圧縮バネ３１の他端は、連結具本体１２のスライド空間部１５の壁面と接している。
【００９８】
また、図１１に示すように、係止片３５は、四角柱の形状を成し、スライドカバー部２５の一端に接し、スライド空間部１５内の端部で固定されている。係止片３５のスライド空間部１５内の側面に接する面には、貫通孔３６が設けられている。
【００９９】
係止片３５の貫通孔３６には、連結具本体１２に設けられた貫通孔１６に挿入された棒が貫通し、係止片３５は、スライド空間部１５内の端部に固定される。
【０１００】
以上述べたように、バネ部３０は、スライドカバー部２５の嵌合部２１とスライド空間部１５の壁面との間に挟まれている。スライドカバー部２５が、定位置、即ち、スライドカバー部２５にスライドするための力が掛かっていない場合には、圧縮バネ３１は、嵌合部２１の他端が溝部３側に位置する係止片３５の面に押し当てるように、押圧する。
【０１０１】
一方、スライドカバー部２５にスライドするための力が掛かっている場合には、圧縮バネ３１は、圧縮されて、縮むように変形する。また、スライドカバー部２５にスライドするための力が無くなると、スライドカバー部２５は、定位置に移動する。
【０１０２】
このように、腕時計バンドの連結具１１におけるバネ部３０は、スライドカバー部２５に作用して、時計バンド側の連結柱７３に連結具本体１２を連結して、その状態を保持し、また、連結具本体１２から時計バンド側の連結柱７３を取り外した後には、スライドカバー部２５が元の位置に戻るようにする。
【０１０３】
次に、図１１に示す連結具の組み立てについて述べる。連結具１１は、連結具本体１２と、スライドカバー部２５、バネ部３０及び係止片３５により以下の順番で組み立てられる。また、係止片３５を固定するための棒を準備しておく。
【０１０４】
最初に、連結具本体１２のスライド空間部１５の先端に位置する開口部１７からスライド空間部１５にバネ部３０を挿入する。次に、スライド空間部１５にスライドカバー部２５の嵌合部２１を開口部１７から挿通する。その後、係止片３５をスライド空間部１５に挿入し、連結具本体１２の一方の貫通孔１６に棒を挿通して、係止片３５の貫通孔３６を貫通し、棒を他方の貫通孔１６まで挿入する。これにより、係止片３５が連結具本体１２に固定される。
【０１０５】
このように、スライド空間部１５にバネ部３０が設けられていることにより、スライドカバー部２５の嵌合部２１は、バネ力により溝部３側に押し付けられる。
【０１０６】
図１２は、第２の実施形態のおける腕時計バンドの連結具を腕時計バンドに装着する状態を示す図であり、（ａ）は、時計バンドの連結具を腕時計バンドに装着した状態を示す下面図であり、（ｂ）は、時計バンドの連結具を腕時計バンドに装着する状態を示す側面図である。
【０１０７】
図１２（ａ）に示すように、連結具１１は、腕時計本体５０のバンド取付部５２に一端側が取付棒６３で連結され、他端側が腕時計バンド７０の一端側に配された連結柱７３を溝部３に収納することにより、腕時計バンド７０と連結されている。
【０１０８】
このとき、溝部３の上部は、スライドカバー部２５で覆われて、連結棒７３を連結具１１から分離することはない。また、腕時計バンド７０を腕に装着した場合に、スライドカバー部２５は、腕時計本体５０がストッパーとなり、スライドすることができないため、腕時計本体５０が腕から外れることがない。
【０１０９】
腕時計本体５０を連結した連結具１１を腕時計バンド７０に装着する場合には、図１２（ｂ）に示すように、側面視においてピン挿入口１８の取付棒６３を軸にして連結具１１を時計本体５０に対してほぼ垂直を成すように矢印ａで示すように回転させる。この状態で、連結具本体１２の下面に設けたスライドカバー部２５を矢印ｂで示す腕時計本体５０側にスライドすることにより、連結具本体１２の突起部７に設けられた溝部３が露出する。露出した溝部３へ時計バンド７０の連結柱７３を挿入し、スライドカバー部２５を通常の位置に戻して連結具１１の腕時計バンド７０への取り付けを行う。
【０１１０】
また、連結具１１を腕時計バンド７０から外す場合には、図１２（ｂ）に示すように、側面視においてピン挿入口１８の取付棒６３を軸にして連結具１１を時計本体５０に対してほぼ垂直を成すように矢印ａで示すように回転させる。この状態で、連結具１１の突起部７に設けられた溝部３が露出するようにスライドカバー部２５を矢印ｂで示す腕時計本体５０側にスライドさせて、溝部３から連結柱７３を取り出す。
【０１１１】
これにより、腕時計本体５０を連結した連結具１１の時計バンドへの着脱を容易に行うことができる。
【０１１２】
次に、スライドカバー部を連結具本体の上面に設けた場合の連結具の実施形態について図１３を用いて説明する。図１３は、第２の実施形態におけるスライドカバー部を腕時計本体の正面側に設けた腕時計バンドの連結具を示す斜視図である。
【０１１３】
図１３に示すように、連結具１１は、スライドカバー部２５を腕時計本体５０の正面側に位置するように設けられている。腕時計本体５０に前もって装着された連結具１１への腕時計バンド７０の脱着は、図１２（ｂ）に示すように、側面視においてピン挿入口１８の取付棒６３を軸にして連結具１１を時計本体５０に対してほぼ垂直を成すように矢印ａで示すように回転させて、その後、スライドカバー部２５をスライドさせて行う。これにより、腕時計バンドの交換を容易に行うことが可能となる。
また、図１３に示すスライドカバー部２５が腕時計本体５０の正面側に位置する連結具１１を用いた腕時計バンドにおいては、腕時計バンドを腕に装着した場合に、スライドカバー部２５は、腕時計本体５０がストッパーとなり、スライドすることができないため、腕時計本体が腕から外れることがない。
【０１１４】
以上に述べたように本考案によれば、腕時計バンドの交換に際して、バネ棒・ピン等の取り外し、取り付けが不要であり、腕時計バンドの連結具に設けたスライドカバー部によって腕時計本体に対して腕時計バンドをワンタッチで、取り付け、取り外しすることが可能であり、更に、他の腕時計バンドに容易に交換することが可能なため、腕時計バンドを自分で簡単に取り替えることができ、腕時計バンドの種類、腕時計バンドの選択肢を増やすことができる。
【０１１５】
また、本考案による腕時計バンドの連結具は、着せ替えバンドとして季節、オンタイム、オフタイム、レジャー等によりファッション感覚で自由に交換でき、さまざまな使用形態が可能となる。
【０１１６】
また、本考案による腕時計バンドの連結具は、時計バンドの着け外しが自分で簡単にできるため、一つの腕時計本体で何通りもの組合せができる。
【０１１７】
また、本考案による腕時計バンドの連結具は、金属バンド、革バンド、ゴムバンド、ウレタンバンド、布バンド、木製バンド等のあらゆる素材のバンドに対応可能である。
【０１１８】
通常、腕時計本体は半永久的に使用できるが、時計バンドは摩耗、劣化する消耗品であるため、時計バンドの交換が必要となるが、億劫になり、腕時計を使用しなくなってしまう。本考案による腕時計バンドの連結具を使用することにより時計バンドを容易に交換できるため、腕時計本体を長期間使用することができる。
【０１１９】
また、本考案による腕時計バンドの連結具は、腕時計バンドを装着した状態で、腕時計バンドがストッパーとして機能して、スライドカバー部がスライドできないため、誤操作を防止することができる。
【０１２０】
また、本考案による腕時計バンドの連結具は、腕時計バンド毎に連結具を取り付けて腕時計本体に装着する、又は腕時計毎に連結具を取り付けて腕時計バンドを装着することが可能なため、使用状況に応じた連結具を選択することができる。
【０１２１】
また、本考案による腕時計バンドの連結具は、その表面に塗装等の装飾が可能なため、多様な時計バンドに対応することができる。
【０１２２】
この考案は、その本質的特性から逸脱することなく数多くの形式のものとして具体化することができる。よって、上述した実施形態は専ら説明上のものであり、本考案を制限するものではないことは言うまでもない。
【符号の説明】
【０１２３】
１、１１    腕時計バンドの連結具
２、１２    連結具本体
３    溝部
７    突起部
８    内部壁面
１０  ピン挿入孔
１５  スライド空間部
１６、３６  貫通孔
１７  開口部
１８  ピン挿入口
２０、２５  スライドカバー部
２１  嵌合部
３０  バネ部
３１  圧縮バネ
３５  係止片
５０  腕時計本体
５２  バンド取付部
６０、７３  連結柱（バネ棒）
６３、７５  取付棒（バネ棒）
７０  腕時計バンド
７２  取付先端部
８０  金属バンド
８１  金属バンドの取付部
【図１】
0003203156.tif 000003
【図２】
0003203156.tif 000004
【図３】
0003203156.tif 000005
【図４】
0003203156.tif 000006
【図５】
0003203156.tif 000007
【図６】
0003203156.tif 000008
【図７】
0003203156.tif 000009
【図８】
0003203156.tif 000010
【図９】
0003203156.tif 000011
【図１０】
0003203156.tif 000012
【図１１】
0003203156.tif 000013
【図１２】
0003203156.tif 000014
【図１３】
0003203156.tif 000015
【手続補正書】
【提出日】平成28年1月18日(2016.1.18)
【手続補正１】
【補正対象書類名】実用新案登録請求の範囲
【補正対象項目名】全文
【補正方法】変更
【補正の内容】
【実用新案登録請求の範囲】
【請求項１】
腕時計本体と腕時計バンドの間に配されて、腕時計本体又は腕時計バンドの交換を可能とする腕時計バンドの連結具であって、
当該連結具は、前記腕時計本体又は前記腕時計バンドに一端側が連結され、他端側が前記腕時計バンド又は前記腕時計本体の一端側に配された連結柱を収納可能な溝部と、
付勢されて当該溝部の少なくとも一部を閉塞して前記連結柱を前記溝部内に回動自在に収納可能なスライドカバー部と
からなることを特徴とする腕時計バンドの連結具。
【請求項２】
前記連結具は、前記腕時計バンドに一端側が連結され、他端側が前記腕時計本体の一端側に配された連結柱を前記溝部に収納することにより、前記腕時計本体と連結されることを特徴とする請求項１に記載の腕時計バンドの連結具。
【請求項３】
前記連結具は、前記腕時計本体に一端側が連結され、他端側が前記腕時計バンドの一端側に配された連結柱を前記溝部に収納することにより、前記腕時計バンドと連結されることを特徴とする請求項１に記載の腕時計バンドの連結具。
【請求項４】
前記スライドカバー部は、腕時計の装着状態においては、前記腕時計バンド又は前記腕時計本体の一部が干渉してスライドできないことを特徴とする請求項１乃至請求項３のうち、いずれか１に記載の腕時計バンドの連結具。
【請求項５】
前記腕時計本体のバンド取付部側に位置する一方の端部手前に前記連結柱を収納する直線状の前記溝部と、他方の端部の両端に前記腕時計バンドを取り付けるための対向する突起部と、前記他方の端部から前記一方の端部に向かって表面が開口し、表面から内部に凸形状を成すスライド空間部とを有する連結具本体と、
一方の面に側面視においてスライド空間部に嵌合するＴ形状を成す嵌合部を有する前記スライドカバー部と、
前記スライド空間部内に位置し、一端をスライドカバー部の嵌合部に接するバネ部と、
当該バネ部の他端に接し、前記スライド空間部内に固定された係止片と、を有することを特徴とする請求項１に記載の腕時計バンドの連結具。
【請求項６】
前記腕時計本体のバンド取付部側に位置する一方の端部手前に取付棒を挿通するための貫通孔と、他方の端部の両端に前記腕時計バンドを取り付けるための対向する突起部に設けられた前記連結柱を収納する直線状の前記溝部と、前記他方の端部から前記一方の端部に向かって表面が開口し、表面から内部に凸形状を成すスライド空間部とを有する連結具本体と、
一方の面に側面視においてスライド空間部に嵌合するＴ形状を成す嵌合部を有する前記スライドカバー部と、
前記スライド空間部内に位置し、一端を前記スライド空間部の端面に接し、他端をスライドカバー部の嵌合部の一端に接するバネ部と、
前記スライドカバー部の嵌合部の他端に接し、前記スライド空間部内に固定された係止片と、を有することを特徴とする請求項１に記載の腕時計バンドの連結具。
【請求項７】
前記スライドカバー部は、前記バネ部により外力が作用していないときには、前記連結柱を覆うように位置していることを特徴とする請求項５又は請求項６に記載の腕時計バンドの連結具。
【請求項８】
前記スライドカバー部は、前記連結具本体の上面に配され、腕時計本体の正面側に位置することを特徴とする請求項５乃至請求項７のうち、いずれか１に記載の腕時計バンドの連結具。
【請求項９】
前記スライドカバー部は、前記連結具本体の下面に配され、腕時計本体の背面側に位置することを特徴とする請求項５乃至請求項７のうち、いずれか１に記載の腕時計バンドの連結具。
【請求項１０】
前記連結具本体に腕時計バンドを装着した状態で、前記連結具本体と腕時計バンドとのなす角度により腕時計バンドがストッパーとして機能して、前記スライドカバー部がスライドできないようにしたことを特徴とする請求項５又は請求項６に記載の腕時計バンドの連結具。
【請求項１１】
前記連結具本体及び前記スライドカバー部は、側面視において、腕に装着時に腕側に湾曲していることを特徴とする請求項５又は請求項６に記載の腕時計バンドの連結具。
【手続補正２】
【補正対象書類名】明細書
【補正対象項目名】００１９
【補正方法】変更
【補正の内容】
【００１９】
また、本考案の前記スライドカバー部は、前記バネ部により外力が作用していないときには、前記連結柱を覆うように位置していることを特徴とする。
【手続補正３】
【補正対象書類名】明細書
【補正対象項目名】００２０
【補正方法】変更
【補正の内容】
【００２０】
また、本考案の前記スライドカバー部は、前記連結具本体の上面に配され、腕時計本体の正面側に位置することを特徴とする。
【手続補正４】
【補正対象書類名】明細書
【補正対象項目名】００２１
【補正方法】変更
【補正の内容】
【００２１】
また、本考案の前記スライドカバー部は、前記連結具本体の下面に配され、腕時計本体の背面側に位置することを特徴とする。